(57)【要約】【課題】ジターやカラー原稿を読み取る場合の色ズレ等の原稿読取不良を十分に防止することができる原稿読取装置を提供する。【解決手段】スリットガラス５２を有しスリットガラス５２上の原稿を所定の読取位置で読取る読取部５１と、スリットガラス５２上の原稿と接触し原稿を搬送する無端状の搬送ベルト２０と、搬送ベルト２０を懸架するとともに搬送ベルト２０を移動する搬送ベルト駆動ローラ１９、搬送ベルト従動ローラ３５、３６と、スリットガラス５２と面接触する突当て部１０５を有するとともに搬送ベルト駆動ローラ１９、搬送ベルト従動ローラ３５、３６を支持するハウジング１０１および加圧ブラケット１０２と、ハウジング１０１をスリットガラス５２に加圧する引張スプリング１１０とを備える。【選択図】          図４
2004282370.tif 000002
【特許請求の範囲】
【請求項１】
スリットガラスを有し前記スリットガラス上の原稿を所定の読取位置で読取る読取手段と、
前記スリットガラス上の原稿と接触し前記原稿を搬送する無端状の搬送ベルトと、
前記搬送ベルトを懸架するとともに前記搬送ベルトを移動する懸架手段と、
前記スリットガラスと面接触する当接部を有するとともに前記懸架手段を支持する支持手段と、
前記支持手段を前記スリットガラスに加圧する加圧手段とを備えたことを特徴とする原稿読取装置。
【請求項２】
前記懸架手段は、前記搬送ベルト内の搬送方向上流側に設けられる第１のローラと、前記搬送ベルト内の搬送方向下流側に設けられる第２のローラと、前記第１のローラと前記第２のローラとの間に設けられる第３のローラとを有し、
前記支持手段は、前記第１のローラの近傍において前記搬送ベルトと前記スリットガラスとが所定の隙間を有するように、前記第１のローラを支持することを特徴とする請求項１に記載の原稿読取装置。
【請求項３】
前記第１のローラは前記搬送ベルトを駆動する駆動ローラであり、前記第２のローラおよび前記第３のローラは、前記搬送ベルトにより従動される従動ローラであることを特徴とする請求項２に記載の原稿読取装置。
【請求項４】
前記支持手段は、前記第３のローラの近傍において前記搬送ベルトが前記スリットガラスと圧接するように、前記第３のローラを支持することを特徴とする請求項３に記載の原稿読取装置。
【請求項５】
前記第３のローラは、前記搬送ベルトとの接触面に弾性部材を有することを特徴とする請求項４に記載の原稿読取装置。
【発明の詳細な説明】
【０００１】
【発明の属する技術分野】
本発明は、原稿読取装置に関し、搬送される原稿を固定位置で読み取る原稿読取装置に関する。
【０００２】
【従来の技術】
従来、この種の技術としては、原稿の画情報を読み取る手段と、その読取手段へ原稿を搬送する手段とを備え、その搬送手段には、原稿読取位置で押圧ローラおよび読取センサに接触するように配置された可撓性ベルトを備えたものが知られている（例えば、特許文献１参照）。
【０００３】
また、走査装置を固定位置に停止させて移動する原稿の走査を行う捜査手段を有する原稿搬送装置であって、操作手段に対応させて設けられた原稿搬送路にベルト部材を用いた搬送装置を配置し、走査部原稿搬送装置を構成するベルト部材は、プラテンに対応するプラテンローラと、上流部のレジストローラ装置のローラ部材、および、下流部の排出ローラに対応するローラ部材に架け渡して走査部原稿搬送装置を構成し、走査部原稿搬送装置におけるプラテンに対応する部分での原稿の搬送速度を、上下流部の搬送ローラ装置の速度と一致させるようにした技術が知られている（例えば、特許文献２参照）。
【０００４】
また、固定位置でコンタクトガラス上の原稿を読み取る原稿読取手段と、原稿を読み取り位置を含む前後でコンタクトガラスに圧接させながらコンタクトガラス上を搬送させる原稿搬送手段とを備え、原稿搬送手段が、無端状の搬送ベルトと、搬送ベルトの原稿搬送方向の上流側および下流側に離隔して設けられ、搬送ベルトを懸架する一対のベルト搬送ローラとを有し、ベルト搬送ローラの双方が搬送ベルトをコンタクトガラスに圧接させ、原稿搬送手段が、原稿読取位置の上にも原稿をコンタクトガラスに圧接させる圧接手段を備えるようにした技術が知られている（例えば、特許文献３参照）。
【０００５】
【特許文献１】
特開平６−２２０８０号公報
【０００６】
【特許文献２】
特開平８−３００４４号公報
【０００７】
【特許文献３】
特開平１１−５９９４９号公報
【０００８】
【発明が解決しようとする課題】
しかしながら、このような従来の技術は、無端ベルトを懸架するローラとコンタクトガラスとの位置関係や、どのローラを駆動するか等が十分に検討されておらず、ジターやカラー原稿を読み取る場合の色ズレ等の原稿読取不良を十分に防止できないという問題があった。
【０００９】
たとえば、読取位置より搬送方向下流側のローラを駆動ローラとした場合、コンタクトガラス上の無端ベルトは引張り側となり無端ベルトは平面状になるので、コンタクトガラスとの間に隙間が生じて原稿をコンタクトガラスに圧接する力が弱くなって原稿に浮きが生じてしまうため、ジター等の原稿読取不良が発生する恐れがあった。
【００１０】
また、特許文献２に開示された技術では、無端ベルトとコンタクトガラスとの隙間を原稿の厚さよりも大きくしており、原稿がコンタクトガラス上の読み取り位置で浮いてしまうおそれがあるため、原稿の読取不良を招くことがあった。
【００１１】
本発明は、このような従来の問題を解決するためになされたものであり、ジターやカラー原稿を読み取る場合の色ズレ等の原稿読取不良を十分に防止することができる原稿読取装置を提供することを目的としている。
【００１２】
【課題を解決するための手段】
本発明の原稿読取装置は、上記課題を解決するために、スリットガラスを有し前記スリットガラス上の原稿を所定の読取位置で読取る読取手段と、前記スリットガラス上の原稿と接触し前記原稿を搬送する無端状の搬送ベルトと、前記搬送ベルトを懸架するとともに前記搬送ベルトを移動する懸架手段と、前記スリットガラスと面接触する当接部を有するとともに前記懸架手段を支持する支持手段と、前記支持手段を前記スリットガラスに加圧する加圧手段とを備えたことを特徴とした構成を有している。
【００１３】
この構成により、本発明の原稿読取装置は、ジターやカラー原稿を読み取る場合の色ズレ等の原稿読取不良を十分に防止することができる。
【００１４】
また、本発明の原稿読取装置は、上記課題を解決するために、前記懸架手段は、前記搬送ベルト内の搬送方向上流側に設けられる第１のローラと、前記搬送ベルト内の搬送方向下流側に設けられる第２のローラと、前記第１のローラと前記第２のローラとの間に設けられる第３のローラとを有し、前記支持手段は、前記第１のローラの近傍において前記搬送ベルトと前記スリットガラスとが所定の隙間を有するように、前記第１のローラを支持することを特徴とした構成を有している。
【００１５】
この構成により、本発明の原稿読取装置は、ジターやカラー原稿を読み取る場合の色ズレ等の原稿読取不良を十分に防止することができる。
【００１６】
また、本発明の原稿読取装置は、上記課題を解決するために、前記第１のローラは前記搬送ベルトを駆動する駆動ローラであり、前記第２のローラおよび前記第３のローラは、前記搬送ベルトにより従動される従動ローラであることを特徴とした構成を有している。
【００１７】
この構成により、本発明の原稿読取装置は、ジターやカラー原稿を読み取る場合の色ズレ等の原稿読取不良を十分に防止することができる。
【００１８】
また、本発明の原稿読取装置は、上記課題を解決するために、前記支持手段は、前記第３のローラの近傍において前記搬送ベルトが前記スリットガラスと圧接するように、前記第３のローラを支持することを特徴とした構成を有している。
【００１９】
この構成により、本発明の原稿読取装置は、ジターやカラー原稿を読み取る場合の色ズレ等の原稿読取不良を十分に防止することができる。
【００２０】
また、本発明の原稿読取装置は、上記課題を解決するために、前記第３のローラは、前記搬送ベルトとの接触面に弾性部材を有することを特徴とした構成を有している。
【００２１】
この構成により、本発明の原稿読取装置は、ジターやカラー原稿を読み取る場合の色ズレ等の原稿読取不良を十分に防止することができる。
【００２２】
【発明の実施の形態】
以下、本発明の一実施の形態について図面を用いて説明する。
【００２３】
図１は本発明の一実施形態の原稿読取装置の概要を示す構成図である。
【００２４】
図１に示すように、原稿読取装置５０は、画像形成装置等に一体または別体に設けられる自動原稿搬送装置（ＡＤＦ）としての機能と、原稿の画情報を読み取る機能を有するものであり、原稿テーブル２、ピックアップローラ７、給紙ベルト９、リバースローラ１０、プルアウトローラ１２、ターンローラ１４、読取入口ローラ１６、搬送ベルト駆動ローラ１９、搬送ベルト従動ローラ３５、３６、搬送ベルト２０、読取出口ローラ２１、排紙ローラ２８、排紙トレイ２９、スリットガラス５２、読取部５１等を備える。読取部５１は、スリットガラス５２上を搬送される原稿に記録された画情報を読み取るものである。また、前述の各テーブル、各ベルト、各ローラとの間には原稿が搬送される搬送パスが形成されている。
【００２５】
搬送ベルト駆動ローラ１９、搬送ベルト従動ローラ３５、３６、これら３つのローラに架け渡された無端状の搬送ベルト２０、およびこれらローラを支持する後述する支持部材は、搬送ベルトユニット１００を構成する。
【００２６】
このように構成された原稿読取装置５０においては、原稿テーブル２にセットされた原稿束から、ピックアップローラ７、給紙ベルト９、リバースローラ１０によって最上部の１枚の原稿が分離され、分離された原稿はプルアウトローラ１２、ターンローラ１４、読取入口ローラ１６によってスリットガラス５２上の読取部５１の位置まで搬送される。そして、原稿は搬送ベルト２０によってスリットガラス５２上を搬送されながら読取部５１によって読み取られる。読み取られた原稿は、読取出口ローラ２１、排紙ローラ２８によってさらに搬送されて排紙トレイ２９上へ排出され積み重ねられる。
【００２７】
次に、図２〜図４を参照して搬送ベルトユニット１００の詳細について説明する。
【００２８】
図２、図３は搬送ベルトユニット１００の斜視図を示すものである。図２は搬送ベルト２０を外した状態を、図３は搬送ベルト２０を架け渡した状態を示す。また、図４は搬送ベルトユニット１００の断面を示す。
【００２９】
搬送ベルト駆動ローラ１９および搬送ベルト従動ローラ３５は、図示しないベアリングを介して支持部材としてのハウジング１０１に軸支されている。ハウジング１０１には、支持部材としての加圧ブラケット１０２が図示しない圧縮スプリングを介して矢印ａで示す方向にスライド可能に取り付けられている。搬送べベルト従動ローラ３６は図示しないベアリングを介して加圧ブラケット１０２に軸支されている。従って、加圧ブラケット１０２は図示しない圧縮スプリングによってハウジング１０１から押し出される方向に付勢され、加圧ブラケット１０２に軸支された搬送ベルト従動ローラ３６は搬送ベルト２０に所定のテンションを付与するようになっている。
【００３０】
ハウジング１０１には、搬送ベルト駆動ローラ１９と搬送ベルト従動ローラ３５との間におけるスリットガラス５２に対向する側に、スリットガラス５２と面接触する突当て部１０５が形成されている。
【００３１】
また、ハウジング１０１には、原稿読取装置５０の本体にその両端が固定された引張スプリング１１０により矢印１１１の方向に加圧される被加圧部材１０３、１０４が固定されている。被加圧部材１０３、１０４は突当て部１０５のほぼ直上になるようにハウジング１０１に固定されている。また、引張スプリング１１０の両端の固定位置および被加圧部材１０３、１０４の形状は、引張スプリング１１０が被加圧部材１０３、１０４を介してハウジング１０１の突当て部１０５をスリットガラス５２に加圧する力の作用線（矢印１１１の延長線）が突当て部１０５の幅１０５ａの内部になるように設定されている。
【００３２】
従って、ハウジング１０１が傾斜することなくスリットガラス５２に対するハウジング１０１の当接状態が一定に保たれるので、ハウジング１０５が軸支する搬送ベルト駆動ローラ１９および搬送ベルト従動ローラ３５とスリットガラス５２との位置関係が適切にかつ一定に保たれる。
【００３３】
具体的には、搬送ベルト駆動ローラ１９とスリットガラス５２との距離は、ハウジング１０１に形成された突当て部１０５がスリットガラス５２に接触している状態において、搬送ベルト駆動ローラ１９に架け渡された搬送ベルト２０とスリットガラス５２との間に僅かな隙間、好ましくは原稿の厚さ程度の隙間ができるように設定されている。
【００３４】
このため、原稿の先端が搬送ベルト駆動ローラ１９に接触し始めて読み取り位置に進入する際、および原稿の後端が搬送ベルト駆動ローラ１９から離れる際に、負荷変動や衝撃が発生することがない。
【００３５】
また、搬送ベルト従動ローラ３５とスリットガラス５２との距離は、ハウジング１０１に形成された突当て部１０５がスリットガラス５２に接触している状態において、搬送ベルト従動ローラ３５に架け渡された搬送ベルト２０がスリットガラス５２に圧接するように設定されている。
【００３６】
このため、読取部５１の近傍において、原稿は浮きが発生することなくスリットガラス５２に接触して搬送される。
【００３７】
搬送ベルト従動ローラ３５の表面には、図６に示すようにゴム等の弾性部材４０１が設けられており、ハウジング１０１に形成された突当て部１０５がスリットガラス５２に接触している状態において、搬送ベルト従動ローラ３５が常にスリットガラス５２に圧接するようになっている。また、弾性部材４０１が設けられていることにより、原稿の先端が搬送ベルト従動ローラ３５に接触する際に発生する負荷変動や衝撃を弾性部材４０１が吸収するので、読取部５１の近傍におけるスリットガラス５２上での原稿の浮きが発生することなく安定して搬送される。
【００３８】
なお、図５に示すように、搬送ベルト駆動ローラ１９の一端には、タイミングプーリ２０１が設けられ、タイミングプーリ２０１には図示しない駆動手段により駆動されるタイミングベルト２０２が架けられている。
【００３９】
このように本実施形態では、ハウジング１０１が傾斜することなくスリットガラス５２に対するハウジング１０１の当接状態が一定に保たれるので、ハウジング１０５が軸支する搬送ベルト駆動ローラ１９および搬送ベルト従動ローラ３５とスリットガラス５２との位置関係が適切にかつ一定に保たれる。従って、ジターやカラー原稿を読み取る場合の色ズレ等の原稿読取不良を十分に防止することができる。
【００４０】
また、搬送ベルト駆動ローラ１９とスリットガラス５２との距離は、搬送ベルト２０が架け渡された状態で、搬送ベルト２０とスリットガラス５２との間に僅かな隙間、好ましくは原稿の厚さ程度の僅かな隙間ができるように設定されているので、原稿の先端が搬送ベルト駆動ローラ１９に接触し始めて読み取り位置に進入する際、および原稿の後端が搬送ベルト駆動ローラ１９から離れる際に、負荷変動や衝撃が発生することがない。従って、ジターやカラー原稿を読み取る場合の色ズレ等の原稿読取不良を十分に防止することができる。
【００４１】
また、搬送ベルト従動ローラ３５とスリットガラス５２との距離は、搬送ベルト従動ローラ３５に架け渡された搬送ベルト２０がスリットガラス５２に圧接するように設定されているので、読取部５１の近傍において、原稿は浮きが発生することなくスリットガラス５２に接触して搬送される。従って、ジターやカラー原稿を読み取る場合の色ズレ等の原稿読取不良を十分に防止することができる。
【００４２】
【発明の効果】
本発明によれば、ジターやカラー原稿を読み取る場合の色ズレ等の原稿読取不良を十分に防止することができる原稿読取装置を提供することができる。
【図面の簡単な説明】
【図１】本発明の一実施形態に係る原稿読取装置の断面図。
【図２】一実施形態の原稿読取装置の搬送ベルトユニットの斜視図。
【図３】一実施形態の原稿読取装置の搬送ベルトユニットの斜視図。
【図４】一実施形態の原稿読取装置の搬送ベルトユニットの断面図。
【図５】一実施形態の原稿読取装置の搬送ベルトユニットの斜視図。
【図６】一実施形態の原稿読取装置の搬送ベルト従動ローラ３５の斜視図。
【符号の説明】
１    原稿束
２    原稿テーブル
７    ピックアップローラ
９    給紙ベルト
１０    リバースローラ
１２    プルアウトローラ
１４    ターンローラ
１６    読取入口ローラ
１９    搬送ベルト駆動ローラ（懸架手段、第１のローラ）
２０    搬送ベルト
２１    読取出口ローラ
２８    排紙ローラ
２９    排紙トレイ
３５    搬送ベルト従動ローラ（懸架手段、第３のローラ）
３６    搬送ベルト従動ローラ（懸架手段、第２のローラ）
５０    原稿読取装置
５１    読取部（読取手段）
５２    スリットガラス（読取手段）
５３    原稿スケール
５４    プラテンガラス
１００    搬送ベルトユニット
１０１    ハウジング（支持手段）
１０２    加圧ブラケット（支持手段）
１０３、１０４    被加圧部材（支持手段）
１０５    突当て部
１１０    引張スプリング（加圧手段）
４０１    弾性部材
【図１】
2004282370.tif 000003
【図２】
2004282370.tif 000004
【図３】
2004282370.tif 000005
【図４】
2004282370.tif 000006
【図５】
2004282370.tif 000007
【図６】
2004282370.tif 000008